(57)【要約】      （修正有）【課題】一端給電方式、両端給電方式に兼用で適合可能なＬＥＤ灯管を提供する。【解決手段】外部電源に接続される２つの導電ピンにより一端又は両端に兼用で導電可能なＬＥＤ灯管であって、２つの導電ピン群１０と、極性変換回路モジュール１１と、昇降圧回路モジュール１２と、ＬＥＤ発光ユニット１３とを有し、各導電ピン群は、２本のピンからなり、極性変換回路モジュールは、２つの電圧変換装置（ブリッジ整流器）を含み、昇降圧回路モジュールは、交流を直流に変換するよう、極性変換回路モジュールに電気的に接続され、ＬＥＤ発光ユニットは、直流を受け付けるべく、昇降圧回路モジュールに電気的に接続され、各ピンのうち２つのピンが、電圧変換装置のいずれかと導通するよう外部電源を受け付けることで、昇降圧回路モジュールによる電流変換及びＬＥＤ発光ユニットへの伝達を可能とする。【選択図】図１
0003214340.tif 000002
【実用新案登録請求の範囲】
【請求項１】
外部電源に接続される２つの導電ピンにより一端又は両端に兼用で導電可能なＬＥＤ灯管であって、
２本のピンからなる２つの導電ピン群と、
２つの電圧変換装置を含み、各前記電圧変換装置には前記導電ピン群がそれぞれ接続される極性変換回路モジュールと、
交流を直流に変換するよう、前記極性変換回路モジュールに電気的に接続される昇降圧回路モジュールと、
前記直流を受け付けるべく、前記昇降圧回路モジュールに電気的に接続される少なくとも１のＬＥＤ発光ユニットと、を備え、
各前記ピンのうち２つの前記ピンが、前記電圧変換装置のいずれかとの導通を実現するよう前記外部電源を受け付けることで、前記昇降圧回路モジュールによる電流変換及び前記ＬＥＤ発光ユニットへの伝達を可能とすることを特徴とするＬＥＤ灯管。
【請求項２】
前記ＬＥＤ灯管は、更に、前記導電ピン群、前記極性変換回路モジュール、前記昇降圧回路モジュール及び前記ＬＥＤ発光ユニットが取り付けられる基盤と、前記基盤に取り付けられて前記ＬＥＤ発光ユニットを遮蔽する灯管カバーと、を含むことを特徴とする請求項１記載の２つの導電ピンにより一端又は両端に兼用で導電可能なＬＥＤ灯管。
【請求項３】
前記ＬＥＤ灯管は、Ｔ型灯管であることを特徴とする請求項２記載の２つの導電ピンにより一端又は両端に兼用で導電可能なＬＥＤ灯管。
【請求項４】
前記Ｔ型灯管は、Ｔ８、Ｔ１０、又はＴ１２であることを特徴とする請求項３記載の２つの導電ピンにより一端又は両端に兼用で導電可能なＬＥＤ灯管。
【請求項５】
前記電圧変換装置は、整流器であることを特徴とする請求項１記載の２つの導電ピンにより一端又は両端に兼用で導電可能なＬＥＤ灯管。
【請求項６】
前記整流器は、ブリッジ整流器であることを特徴とする請求項５記載の２つの導電ピンにより一端又は両端に兼用で導電可能なＬＥＤ灯管。
【請求項７】
前記外部電源は、商用交流電圧であることを特徴とする請求項１記載の２つの導電ピンにより一端又は両端に兼用で導電可能なＬＥＤ灯管。
【考案の詳細な説明】
【技術分野】
【０００１】
本考案は、ＬＥＤ灯管の一種であり、より詳細には、一端又は両端が二本の導電ピンで導電可能なＬＥＤ灯管である。
【背景技術】
【０００２】
現在市販されているＬＥＤ灯管は、それぞれのソケットに適合させる必要があるので、これまでのＬＥＤ灯管は、単一の形式に標準化することができない状態であった。現在一般的に使用されるＬＥＤ灯管は、一端給電方式と両端給電方式とあり、両端給電方式のソケットを採用する場合は、両端給電方式のＬＥＤ灯管を購入する必要がある。このため、ＬＥＤの寿命が限界になると、新しい灯管がソケットに適合しないという問題が発生し得る。したがって、このような技術分野における公知の課題は、当業者が検討しなければならない。
【０００３】
従来のＬＥＤ灯管を開示する文献として下記の特許文献１がある。特許文献１に開示のＬＥＤ照明は、帯状の透明基板上に複数個のＬＥＤチップを並べて接続し、両端にＬＥＤチップの電極引き出し線を設けた発光ストリップと、ＬＥＤチップの発光を制御する駆動器と、駆動器に電力を供給するために外部電源に接続されるソケットを備える。そして、プリント基板に開口又は切り欠き部を形成するとともに、開口又は切り欠き部に近接してランドを形成し、プリント基板の一端に連結端部を設け、プリント基板の開口又は切り欠き部に発光ストリップを配置し、ランドに電極引き出し線を固着し、ソケットに連結端部が嵌合する嵌合部を設け、プリント基板をソケットに着脱可能に装着している。
【０００４】
特許文献１に開示のＬＥＤ照明では、開口又は切り欠き部に組み付けた発光ストリップを点灯させることにより、発光ストリップの光が開口の前後又は切り欠き部の前後及び側方に照射される。
【０００５】
上記特許文献１に開示の技術では、発光ストリップの電極引き出し線をプリント基板のランドに固着することができ、発光ストリップをプリント基板に組み付けるので、細い金属ワイヤと電極引き出し線を溶接する面倒な作業工程を省略でき、製造コストの大幅な低減が可能となる。
【０００６】
しかしながら、特許文献１に開示のＬＥＤ照明を様々な形態のソケットに取り付けることはできない。
【先行技術文献】
【特許文献】
【０００７】
【特許文献１】特開２０１７−１３９２０５号公報
【考案の概要】
【考案が解決しようとする課題】
【０００８】
本考案は上記の問題点に鑑みてなされたものであり、その目的は、一端給電方式又は両端給電方式の灯管のいずれにも兼用で適合可能なＬＥＤ灯管を提供することである。
【課題を解決するための手段】
【０００９】
上記の課題に鑑みて、本考案は、一端又は両端いずれかの２つの導電ピンによる導電兼用のＬＥＤ灯管であって、２本のピンからなる２つの導電ピン群と、２つの電圧変換装置とを含み、各前記電圧変換装置には前記導電ピン群がそれぞれ接続される極性変換回路モジュールと、交流を直流に変換するよう、前記極性変換回路モジュールに電気的に接続される昇降圧回路モジュールと、前記直流を受け付けるべく前記昇降圧回路モジュールに電気的に接続される少なくとも１のＬＥＤ発光ユニットと、を備え、各前記ピンのうち２つの前記ピンが、前記電圧変換装置のいずれかとの導通を実現するよう前記外部電源を受け付けることで、前記昇降圧回路モジュールによる電流変換及び前記ＬＥＤ発光ユニットへの伝達を可能とすることを特徴とするＬＥＤ灯管を提供する。
【００１０】
いくつかの実施例では、前記ＬＥＤ灯管は、更に、前記導電ピン群、前記極性変換回路モジュール、前記昇降圧回路モジュール及び前記ＬＥＤ発光ユニットが取り付けられる基盤と、前記基盤に取り付けられて前記ＬＥＤ発光ユニットを遮蔽する灯管カバーと、を含む。
【００１１】
いくつかの実施例では、前記ＬＥＤ灯管はＴ型灯管である。
【００１２】
いくつかの実施例では、前記Ｔ型灯管は、Ｔ８、Ｔ１０又はＴ１２である。
【００１３】
いくつかの実施例では、前記電圧変換装置は整流器である。
【００１４】
いくつかの実施例では、前記整流器はブリッジ整流器である。
【００１５】
いくつかの実施例では、前記外部電源は商用交流電圧である。
【考案の効果】
【００１６】
本考案によれば、各前記電圧変換装置には前記導電ピン群がそれぞれ接続され、導電ピン群は二本の導電ピンからなるので、各ピンのうちの二つのピンから外部電源（商用交流電圧）がいずれか１つの電圧変換装置（ブリッジ式整流器）を通過し、前記昇降圧回路モジュールより電流転換されて前記ＬＥＤ発光ユニットに伝送される。これによって一端給電方式又は両端給電方式に適合可能となり、公知のＬＥＤ灯管が単一の形式に標準化できない問題を効率的に解決することができる。
【００１７】
同時に、本考案によれば、従来の蛍光灯管からＬＥＤ灯管（Ｔ８、Ｔ１０又はＴ１２）を交換する場合により利便性が向上する。従来のインダクタンス起動灯管の場合、グロースターターを取り外して灯管をＬＥＤ灯管に交換するだけでよいし、電子的整流器起動灯管の場合、本灯管に直接交換するだけでよい。
【図面の簡単な説明】
【００１８】
【図１】本考案のＬＥＤ灯管の立体図である。
【図２】本考案のＬＥＤ灯管の回路ブロックを示す図である。
【図３】本考案のＬＥＤ灯管の使用状態を示す図である。
【図４】図３の回路ブロックの使用状態を示す図である。
【図５】本考案のＬＥＤ灯管の別の一実施形態を示す図である。
【図６】図５の回路ブロックの使用状態の示す図である。
【考案を実施するための形態】
【００１９】
以下の実施形態において本考案の特徴の詳細及び本考案の利点をより詳細に述べる。本明細書に開示した内容、請求項及び図面によれば、いかなる当業者であっても本考案の目的及び利点を容易に理解することができ、当該内容に基づいていかなる当業者であっても本考案を実施することができる。
【００２０】
本考案の利点と特徴とその実施方法を容易に理解するために、模式的な実施例と添付図を参照して詳述する。なお、本考案は、以下に述べる実施例に限定されるべきものではなく、様々な形式で実施することができる。つまり、後述する実施例の説明は、当業者に本考案の範囲をより具体的かつ包括的に理解させることを目的とするものに過ぎず、本考案は、添付の実用新案登録請求の範囲のみによって特定される。添付図においては、成分又は構成単位及び相対寸法は理解を容易にするために表現を誇張している場合がある。本明細書全体において、同一の参照符号を付したものは同一の構成単位を示す。後述のとおり、「及び／又は」は一つ又は複数の関係の全ての内容を組合せとして包含する。
【００２１】
特段に定義する場合を除いて、後述するあらゆる用語（技術用語及び科学用語を含む）は、当業者が一般的に理解する意味と同義で用いる。さらに、例えば一般的に使用される辞典で定義される用語は、関係する技術分野の内容と一致する意味を有すると理解され、後の明細書において明示的に定義されない限り、過度に抽象化又は限定化した意味で解釈されるべきではないと理解すべきである。
【００２２】
以下において、添付の図面と併せて実施形態を詳述するが、これらの実施形態は様々な形態を含むものであって、本考案の範囲を限定するものとして解釈されるべきではない。これらの実施形態を開示することにより本考案を明確に開示し、当業者は、これらの実施形態により本考案の範囲を明確に理解することができる。
【００２３】
図１及び図２に示す内容を参照し、これらは本考案のＬＥＤ灯管の立体図及び回路ブロック図を示す図である。本考案は一端又は両端が二本の導電ピンで導電されるＬＥＤ灯管であり、前記ＬＥＤ灯管１が一つの外部電源（商用交流電圧）に接続され、ＬＥＤ灯管１は２つの導電ピン群１０と、極性変換回路モジュール１１と、昇降圧回路モジュール１２と、ＬＥＤ発光ユニット１３とを主に含み、前記各導電ピン群１０は二本のピン１００からなり、極性変換回路モジュール１１は、二つの電圧変換装置１１０（整流器のブリッジ式整流器である）を含み、各電圧変換装置１１０にはそれぞれに導電ピン群１０に接続され、昇降圧回路モジュール１２は、極性変換回路モジュール１１に電気的に接続されて交流を直流に変換し、ＬＥＤ発光ユニット１３は昇降圧回路モジュール１２に電気的に接続されて直流を受け付け、各ピン１００の中の２つのピン１００が一つの電圧変換装置１１０と導通を実現するように外部電源に接続されることで、昇降圧回路モジュール１２によって電流が変換されてＬＥＤ発光ユニット１３へ伝送される。
【００２４】
前記ＬＥＤ灯管１は、更に基盤１４と灯管カバー１５とを含み、基盤１４は、導電ピン群１０と、極性変換回路モジュール１１と、昇降圧回路モジュール１２と、ＬＥＤ発光ユニット１３とが取り付けられ、灯管カバー１５は、基盤１４に取り付けられ、ＬＥＤ発光ユニット１３を遮蔽するものである。本考案のＬＥＤ灯管１は、主にＴ型灯管（Ｔ８、Ｔ１０、又はＴ１２）である。
【００２５】
図３及び図４に示す内容を参照し、図３は本考案のＬＥＤ灯管の使用状態を示す図であり、図４は図３の回路ブロックの使用状態の示す図である。例えば、二つのピン１００の一端から電流を供給する場合（矢印方向が電流伝送方向）、ＬＥＤ灯管１は外部灯管ソケットに装着する時に、この外部灯管ソケットは片方だけ導電機能を有し、一端の導電ピン群１０を外部灯管ソケットの上にある外部電流（商用交流電圧）に接続して、その中の電圧変換装置１１０（ブリッジ式整流器）が一端の導電ピン群１０（二本の導電ピン１００）に接続され、昇降圧回路モジュール１２が極性変換回路モジュール１１に電気的に接続されて交流を直流に変換し、昇降圧回路モジュール１２に電気的に接続されたＬＥＤ発光ユニット１３に直流が伝送される。二本の導電ピン１００を外部電源に接続することで、電流が確実にいずれか１つの電圧変換装置１１０に通過し、昇降圧回路モジュール１２が電流を変換し、ＬＥＤ発光ユニット１３に伝送する。これによりいずれの二つのピンに接続される場合でも交流電圧がブリッジ式整流によって整流フィルターされることを完全に確保することができ、昇降圧回路モジュール１２及びＬＥＤ発光ユニット１３に直流を給電することができる。
【００２６】
本考案は一端給電方式の灯管だけではなく、ＬＥＤ灯管の標準化できないという従来の問題も効率的に解決することができる。本考案によれば、従来の蛍光灯管をＬＥＤ灯管（Ｔ８、Ｔ１０又はＴ１２）により簡便に交換することができる。従来のインダクタンス起動灯管の場合、グロースターターを取り外して灯管をＬＥＤ灯管に交換するだけでよいし、電子的整流器起動灯管の場合、本灯管に直接交換するだけでよい。
【００２７】
図５及び図６が示した内容を参照し、これらは本考案のＬＥＤ灯管の別の実施形態を示す図及び図５の回路ブロックの使用状態を示す図である。両端にある各一のピン１００から電流を供給する場合（矢印方向は電流伝送方向）、ＬＥＤ灯管１が外部灯管ソケットに装着されるときに、両端の各一つのピン１００が外部灯管ソケットの外部電源（商用交流電圧）に接続され、その中の各電圧変換装置１１０（ブリッジ式整流器）がそれぞれ両端の導電ピン群１０の各一つのピン１００に接続され、昇降圧回路モジュール１２は極性変換回路モジュール１１と電気的に接続されて交流が直流に転換され、ＬＥＤ発光ユニット１３は昇降圧回路モジュール１２と電気的に接続されて直流が電送される。両端の導電ピン群１の各一つのピン１００によって外部電源から受電してその中の一つの電圧変換装置１１０に確実に通過させ、昇降圧回路モジュール１２によって電流が転換されてＬＥＤ発光ユニット１３に伝送され、このような形でいずれの二つのピンに接続される場合でも、交流がブリッジ式整流によって整流フィルターされることを確実に確保でき、昇降圧回路モジュール１２とＬＥＤ発光ユニット１３に直流が給電される。
【００２８】
本考案は、一端給電方式の灯管だけではなく、ＬＥＤ灯管を標準化できない従来の問題も効率的に解決することができる。本考案によれば従来の蛍光灯管をＬＥＤ灯管（Ｔ８、Ｔ１０又はＴ１２）に交換する作業がより簡便になる。従来のインダクタンス起動灯管の場合、グロースターターを取り外し、灯管をＬＥＤ灯管に交換するだけでよいし、電子的整流器起動灯管の場合、本灯管に直接交換するだけでよい。
【００２９】
以上の実施例は、本考案の技術思想及び特徴を説明するためのみに用いられ、この技術における当業者が本考案の内容を理解することができ、かつ実施可能とすることを目的とする。これにより本考案の権利範囲を制限するべきではなく、本考案が開示する技術思想に基づいて創作されるものと均等のもの又は改変されたものも同様に全て本考案の請求の範囲に含まれる。
【００３０】
以上述べた通り、本考案は従来の技術的課題を解決することができ、かつ改善すべき目的を達成し得るものであり、当業者が容易に創作し得るものではないし、創造性及び実用性を有する。
【符号の説明】
【００３１】
１      ＬＥＤ灯管
１０    導電ピン群
１１    極性変換回路モジュール
１２    昇降圧回路モジュール
１３    ＬＥＤ発光ユニット
１４    基盤
１５    灯管カバー
１００  ピン
１１０  電圧変換装置
【図１】
0003214340.tif 000003
【図２】
0003214340.tif 000004
【図３】
0003214340.tif 000005
【図４】
0003214340.tif 000006
【図５】
0003214340.tif 000007
【図６】
0003214340.tif 000008